(57)【特許請求の範囲】
【請求項１】
壁面の一部を覆うアクセントパネルの裏面側に係止具が取り付けられるとともに、壁部に前記係止具が係合せしめられる受け具が取り付けられ、前記係止具と受け具とを係合させることによって、前記アクセントパネルが前記壁部に着脱自在に取り付けられるようにされてなるアクセントパネル取り付け構造であって、
前記アクセントパネルの裏面側の上部と下部に前記係止具が取り付けられており、前記壁部に前記受け具としての上下のバー部材が、高さ方向に沿ってその保持位置を変更可能に取り付けられていることを特徴とするアクセントパネル取り付け構造。
【請求項２】
前記アクセントパネルが前記壁面にほぼ平行に取り付けられていることを特徴とする請求項１に記載のアクセントパネル取り付け構造。
【発明の詳細な説明】
【０００１】
【発明の属する技術分野】
本発明は、壁面をドレスアップするため等に用いられるアクセントパネルの取り付け構造に関する。
【０００２】
【従来の技術】
従来より、例えば、コンクリート製の壁部に別のティースト、例えば木の暖かみが欲しいような場合には、壁面の一部を覆うように木質のアクセントパネルを取り付けることが行われている。このように壁面をドレスアップするため等に用いられるアクセントパネルは、一度壁部に取り付けた後においても、例えば季節に合わせて模様、色等が異なる別のパネルに取り替えたいとの要請がある。
【０００３】
【発明が解決しようとする課題】
しかしながら、従来においては、アクセントパネルの壁部への取り付けは、接着剤やねじくぎ類を用いているので、取り替えるのは手間がかかり面倒であった。さらに、一度取り付けた後は、その取り付け位置の変更、位置調節は事実上不可能であった。
【０００４】
本発明は、このような実情に鑑みてなされたもので、その目的とするところは、アクセントパネルを容易に取り替えることができるとともに、その取り付け位置の変更、位置調節も比較的簡単に行うことができるようにされたアクセントパネル取り付け構造を提供することにある。
【０００５】
【課題を解決するための手段】
前記目的を達成すべく、本発明に係るアクセントパネル取り付け構造は、基本的には、壁面の一部を覆うアクセントパネルの裏面側に係止具が取り付けられるとともに、壁部に前記係止具が係合せしめられる受け具が取り付けられ、前記係止具と受け具とを係合させることによって、前記アクセントパネルが前記壁部に着脱自在に取り付けられるようにされてなる。この場合、前記アクセントパネルの裏面側の上部と下部に前記係止具が取り付けられており、前記壁部に前記受け具としての上下のバー部材が、高さ方向に沿ってその保持位置を変更可能に取り付けられている。
【０００６】
なお、本発明において「アクセントパネル」は、壁面をドレスアップして壁面の外観意匠を向上させることを主たる目的とするが、これに限るものではない。従って、本発明において「アクセントパネル」の語は、任意の壁面の一部を覆うようにして着脱自在に取り付けられるすべてのパネル状の部材を意味するものとして用いられる。
【００１０】
本発明のアクセントパネル取り付け構造では、アクセントパネルを壁面にほぼ平行に取り付けることが好ましい。
さらに好ましい態様では、前記係止具と前記受け具との係合位置が、高さ方向に沿って変更可能とされる。この場合、より具体的な例としては、前記受け具を保持する保持部が、高さ方向に沿って所定間隔をあけて複数箇所設けられる。
【００１１】
このような構成とされた本発明に係るアクセントパネル取り付け構造においては、アクセントパネルの裏面側に係止具が取り付けられるとともに、壁部に前記係止具が係合せしめられる受け具が取り付けられ、それらの係止具と受け具とを係合させることによって、アクセントパネルが壁部に着脱自在に取り付けられるようにされるので、アクセントパネルを容易に取り替えることができ、また、従来はアクセントパネルを一度取り付けた後は、取り付け位置の変更、位置調節はできなかったが、本発明の取り付け構造の好ましい態様では、前記係止具が前記受け具に対して横移動可能に係合せしめられ、さらに好ましい態様では、前記係止具と前記受け具との係合位置が高さ方向に沿って変更可能とされているので、アクセントパネルの取り付け位置の変更、位置調節も簡単に行うことができる。
【００１２】
【発明の実施の形態】
以下、本発明の実施の形態を説明する。
＜第１実施形態＞
図１は、本発明に係るアクセントパネル取り付け構造の第１実施形態を示す縦断面図、図２は、図１に示される取り付け構造が適用されたアクセントパネル及び壁面を示す斜視図である。
図示第１実施形態のアクセントパネル取り付け構造１は、例えば住宅におけるリビングルーム内の壁面５Ａの一部を覆うように木質アクセントパネル１０を壁部５に着脱自在に取り付けるようにしたもので、前記アクセントパネル１０の裏面側に係止具としてのローラー部材１５が取り付けられるとともに、前記壁部５に受け具としてのレール部材２０が取り付けられている。前記アクセントパネル１０は、正面から見て、床６から若干上に浮かせられた状態で壁部５に取り付けられ、取り付け状態でその上端が天井７付近まで届くような大きさの縦長の長方形状とされている。
【００１３】
前記係止具としてのローラー部材１５は、スチール又は鋳物からなる支持フレーム１６と該支持フレーム１６に回動自在に支持された、外周断面がＶ字状の樹脂製ローラー１７とからなり、前記支持フレーム１６部分がアクセントパネル１０の上部に木ねじ１３で取り付けられ、前記ローラー１７は前記アクセントパネル１０に直交する支軸１８に回動自在に支持されている。なお、前記ローラー部材１５は、前記アクセントパネル１０の上部の左右２カ所（同じ高さ位置）に取り付けられている。
【００１４】
一方、前記受け具としてのレール部材２０は、前記壁部５の上部の所定位置にコンクリートねじ１４で取り付けられた断面矩形の木製の保持部材２５を上下方向に弾発的に挟み得るように断面概略コ字状とされた所定長（前記アクセントパネル１０の幅の１／２ないし３／４程度）のアルミ押し出し材からなっており、水平方向に伸ばされている。このレール部材２０の上辺部には、前記ローラー１７が転動可能に係合せしめられる断面Ｖ字状の溝形のレール部２１が形成されており、該レール部材２０は、前記レール部２１を含む上辺部と下辺部とで前記保持部材２５を挟圧することによって、前記壁部５に保持されている。
【００１５】
また、前記アクセントパネル１０の下部には、断面横倒しハット形のスペーサ２６が木ねじ１９で取り付けられるとともに、このスペーサ２６の壁部５側の全面には、フェルト等からなるクッションパッド２７が接着されている。前記スペーサ２６（及びクッションパッド２７）は、上部が前記ローラー部材１５とレール部材２０とで支持されたアクセントパネル１０を壁面５Ａに対して平行に保持するためのもので、左右２カ所に取り付けられている。
【００１６】
かかる構成のもとで、アクセントパネル１０を壁部５に取り付けるにあたっては、アクセントパネル１０を持ち上げて、その上部の左右２カ所に取り付けられた係止具としてのローラー部材１５のローラー１７を、壁部５に取り付けられた受け具としてのレール部材２０のレール部２１に落とし込むようにして係合させる。次いで、アクセントパネル１０を左右方向に押し動かして、前記ローラー１７を前記レール部２１上で転動させて位置調節を行い、所望の位置にて手を離す。これにより、アクセントパネル１０の下部に取り付けられたスペーサ２６（のクッションパッド２７）が壁部５に接当して、アクセントパネル１０が壁部５に対して平行（鉛直）に取り付けられる。この場合、レール部２１が断面Ｖ字状の溝形とされていることから、アクセントパネル１０全体の自重により、レール部１０にローラー１７の断面Ｖ字状の外周が食い込むように圧接し、それらの間の摩擦力、及び、前記スペーサ２６のクッションパッド２７と壁面５Ａとの間の摩擦力により、アクセントパネル１０は多少の外力では動かない状態で、壁部５に対して着脱自在に取り付けられる。
【００１７】
また、アクセントパネル１０を取り外すには、それを若干持ち上げるようにして、前記ローラー１７とレール部２１との係合を解くだけでよく、さらに、新しいアクセントパネルを取り付ける場合には、その裏面側に、ローラー部材１５とスペーサ２６とを取り付けて、前記と同様にすればよい。
【００１８】
このように本実施形態のアクセントパネル取り付け構造１においては、アクセントパネル１０の裏面側に係止具としてのローラー部材１５が取り付けられるとともに、壁部５に受け具としてのレール部材２０が取り付けられ、ローラー部材１５のローラー１７をレール部材２０のレール部２１に落とし込んで係合させるだけで、アクセントパネル１０が壁部５に着脱自在に取り付けられるので、アクセントパネル１０を容易に取り替えることができ、また、従来はアクセントパネルを一度取り付けた後は、取り付け位置の変更、位置調節はできなかったが、本実施形態では、前記ローラー部材１５のローラー１７がレール部２１上で転動可能とされているので、アクセントパネル１０の取り付け位置の変更、位置調節も簡単に行うことができる。
【００１９】
＜第２実施形態＞
図３は、本発明に係るアクセントパネル取り付け構造の第２実施形態を示す縦断面図、図４は、図３に示される取り付け構造が適用されたアクセントパネル及び壁面を示す斜視図、図５は、図３に示される取り付け構造における各部材の取り付け位置を示す概略正面図である。これら図３、図４、図５において、図１、図２に示される第１実施形態の取り付け構造１における各部に対応する部分には、同一の符号が付されている。
【００２０】
図示第２実施形態のアクセントパネル取り付け構造２も、前記第１実施形態と同様に、例えば住宅におけるリビングルーム内の壁面５Ａの一部を覆うように木質アクセントパネル３０を壁部５に着脱自在に取り付けるようにしたもので、前記アクセントパネル３０の裏面側に係止具としての係止アングル部材３５が取り付けられるとともに、前記壁部５に受け具としての受けアングル部材４０が取り付けられている。前記アクセントパネル３０は、正面から見て、床６から若干上に浮かせられた状態で壁部５に取り付けられ、取り付け状態でその上端が天井７付近まで届くような大きさの縦長の長方形状とされている。
【００２１】
前記係止具としての係止アングル部材３５は、スチール板を折曲成形したもので、木ねじ１３でアクセントパネル３０の裏面に取り付けられる取り付け平板部３６と、該取り付け平板部３６の上部において逆Ｖ字状に折り曲げられた係止部３７とからなっている。この係止アングル部材３５は、前記アクセントパネル３０の上下左右計４カ所に取り付けられている（図５参照）。
【００２２】
一方、前記受け具としての受けアングル部材４０も、スチール板を折曲成形したもので、取り付け平板部４１と、該取り付け平板部４１から立ち上がって逆Ｖ字状に折り曲げられた、前記係止アングル部材３５の係止部３７が摺動自在に係合せしめられる受け部４２とからなっている。前記係止部３７と受け部４２は、相似形（係止部＞受け部）となっている。前記受けアングル部材４０は、図３に加えて図５を参照すればよくわかるように、前記壁部５の所定位置にコンクリートねじ１４で取り付けられた斜め桟４８付き矩形枠状の木枠４５における上辺部４６及び下辺部４７の左右の計４カ所にそれぞれ木ねじ４９で取り付けられている。木枠４５に所要本数の斜め桟４８を取り付けておくことにより、壁裏でのねじ受け部の位置を問うことなく、また、壁裏に鉄筋のようなねじ受け不能あるいは困難な箇所が部分的に存在するような場合でも、希望する壁部５の位置に木枠４５をねじ止めすることができる。
【００２３】
かかる構成のもとで、アクセントパネル３０を壁部５に取り付けるにあたっては、アクセントパネル３０を持ち上げて、その上下左右４カ所に取り付けられた係止具としての各係止アングル部材３５の係止部３７を、木枠４５を介して壁部５に取り付けられた受け具としての各受けアングル部材４０の受け部４２に跨乗させるようにして係合させる。次いで、アクセントパネル３０を左右方向に押し動かして、各係止部３７を前記受け部４２上で摺動させて位置調節を行う。これにより、アクセントパネル３０が壁部５に対して平行（鉛直）に取り付けられる。この場合、係止部３７及び受け部４２がそれぞれ逆Ｖ字状のアングル形とされていることから、アクセントパネル３０全体の自重により、係止部３７と受け部４２とが弾発的に圧接し、それらの間の摩擦力により、アクセントパネル３０は多少の外力では動かない状態で、壁部５に対して着脱自在に取り付けられる。
【００２４】
また、アクセントパネル３０を取り外すには、それを若干持ち上げるようにして、前記係止部３７と受け部４２との係合を解くだけでよく、さらに、新しいアクセントパネルを取り付ける場合には、その裏面側に、係止アングル部材３５を取り付けて、前記と同様にすればよい。
【００２５】
このように本実施形態のアクセントパネル取り付け構造２においても、アクセントパネル３０の裏面側に係止具としての係止アングル部材３５が取り付けられるとともに、壁部５に受け具としての受けアングル部材４０が取り付けられ、係止アングル部材３５の係止部３７を受けアングル部材４０の受け部４２に跨乗させるだけで、アクセントパネル３０が壁部５に着脱自在に取り付けられるので、アクセントパネル３０を容易に取り替えることができ、また、従来はアクセントパネルを一度取り付けた後は、取り付け位置の変更、位置調節はできなかったが、本実施形態では、前記係止アングル部材３５の係止部３７が受け部４２上で摺動可能とされるので、アクセントパネル３０の取り付け位置の変更、位置調節も簡単に行うことができる。
【００２６】
＜第３実施形態＞
図６は、本発明に係るアクセントパネル取り付け構造の第３実施形態を示す縦断面図、図７は、図６に示される取り付け構造が適用されたアクセントパネル及び壁面を示す斜視図、図８は、図６に示される取り付け構造における各部材の取り付け位置を示す概略正面図である。これら図６、図７、図８において、図１，図２に示される第１実施形態の取り付け構造１における各部に対応する部分には、同一の符号が付されている。
【００２７】
図示第３実施形態のアクセントパネル取り付け構造３も、前記第１及び第２実施形態と同様に、例えば住宅におけるリビングルーム内の壁面５Ａの一部を覆うように木質アクセントパネル５０を壁部５に着脱自在に取り付けるようにしたもので、前記アクセントパネル５０の裏面側に係止具としてのフック部材５５が取り付けられるとともに、前記壁部５に受け具としての、前記フック部材５５が掛止されるバー部材６０が取り付けられている。前記アクセントパネル５０は、正面から見て、壁面５Ａのほぼ中央部に取り付けられる横長の長方形状とされている。
前記係止具としてのフック部材５５は、スチール板を逆「し」字状に折曲成形したもので、木ねじ１３でアクセントパネル５０の裏面の上下左右計４カ所に当て板５６を介して取り付けられている（図８参照）。
【００２８】
一方、前記受け具としてのバー部材６０は、ステンレスパイプからなり、図６に加えて図８を参照すればよくわかるように、前記壁部５の所定位置にコンクリートねじ１４で取り付けられた木枠６５を介して前記壁部５に上下２本取り付けられている。前記木枠６５は、中央縦辺部６８を有する矩形枠状とされ、その左右の側辺部６６、６６と中央縦辺部６８の上下にそれぞれ３カ所（上段、中段、下段）づつ所定間隔をあけて、前記バー部材６０が落とし込まれて保持される側面視逆Ｌ字形のバー保持溝６１、６１、６２が形成されている。このバー保持溝６１、６１、６２は、前記係止具としてのフック部材５５と前記受け具としてのバー部材６０との係合位置を高さ方向に沿って変更可能とするために設けられているもので、その溝幅が前記バー部材６０が嵌挿される大きさとされ、上段、中段、下段の３カ所のうちの任意の高さ位置のものに前記バー部材６０が落とし込まれて保持されるようになっている。
【００２９】
かかる構成のもとで、アクセントパネル５０を壁部５に取り付けるにあたっては、まず、予め壁部５に取り付けられている前記木枠６５における左右の側辺部６６、６６と中央縦辺部６８の上下にそれぞれ３カ所（上段、中段、下段）ずづ形成されているバー保持溝６１、６１、６２のうちの所望の高さ位置のもの（図では中段のもの）に２本のバー部材６０をそれぞれ落とし込んで保持させておく。次いで、アクセントパネル５０を持ち上げて、その上下左右４カ所に取り付けられた係止具としての各フック部材５５をバー部材６０に引っかけるようにして掛止させるとともに、アクセントパネル５０を左右方向に押し動かして、各フック部材５５を前記バー部材６０上で摺動させて位置調節を行う。これにより、アクセントパネル５０が壁部５に対して平行（鉛直）に取り付けられる。この場合、アクセントパネル５０全体の自重により、フック部材５５とバー部材６０とが面接触するとともに、アクセントパネル５０の裏面が木枠６５に面接触しているので、それらの間の摩擦力により、アクセントパネル５０は多少の外力では動かない状態で、壁部５に対して着脱自在に取り付けられる。
【００３０】
また、アクセントパネル５０を取り外すには、それを若干持ち上げるようにして、前記フック部材５５をバー部材６０から外すだけでよく、さらに、新しいアクセントパネルを取り付ける場合には、その裏面側に、フック部材５５を取り付けて、前記と同様にすればよい。
【００３１】
このように本実施形態のアクセントパネル取り付け構造３においても、アクセントパネル５０の裏面側に係止具としてのフック部材５５が取り付けられるとともに、壁部５に受け具としてのバー部材６０が取り付けられ、フック部材５５をバー部材６０に掛止させるだけで、アクセントパネル５０が壁部５に着脱自在に取り付けられるので、アクセントパネル５０を容易に取り替えることができ、また、従来はアクセントパネルを一度取り付けた後は、取り付け位置の変更、位置調節はできなかったが、本実施形態では、前記フック部材５５がバー部材６０上で摺動可能とされるとともに、前記バー部材６０の保持位置、言い換えれば、前記係止具としてのフック部材５５と前記受け具としてのバー部材６０との係合位置が高さ方向に沿って複数段階（３段階）に変更可能とされているので、アクセントパネル５０の取り付け位置の変更、位置調節も簡単に行うことができる。
【００３２】
＜第４実施形態＞
図９は、本発明に係るアクセントパネル取り付け構造の第３実施形態を示す縦断面図、図１０は、図９に示される取り付け構造が適用されたアクセントパネル及び壁面を示す斜視図である。これら図９、図１０において、図１，図２に示される第１実施形態の取り付け構造１における各部に対応する部分には、同一の符号が付されている。
【００３３】
図示第４実施形態のアクセントパネル取り付け構造４も、前記第１実施形態と同様に、例えば住宅におけるリビングルーム内の壁面５Ａの一部を覆うように木質アクセントパネル７０を壁部５に着脱自在に取り付けるようにしたもので、前記アクセントパネル７０の裏面側に、前記係止具として、上下で一対の、凹凸長が大きな上向き凸部材７５と凹凸長が小さな下向き凸部材７６とが取り付けられるとともに、前記壁部５に、前記受け具として、上下で一対の、前記上向き凸部材７５と下向き凸部材７６とがそれぞれ緩く係合せしめられる、凹凸長が大きな下向き凹部材８０と凹凸長が小さな上向き凹部材８１とが取り付けられている。
【００３４】
前記上向き凸部材７５及び下向き凸部材７６は、アルミダイキャスト製で側面視概略横倒しＺ形状とされ、それぞれアクセントパネル７０の裏面に木ねじ１３で取り付けられる平板部７５ａ、７６ａと、該平板部７５ａ、７６ａから横向きに突出する横突出辺部７５ｂ、７６ｂと、該横突出辺部７５ｂ、７６ｂから上下方向に突出する、先端部が断面半月状の凸部７５ｃ、７６ｃとからなっており、前記上向き凸部材７５の凸部７５ｃは、その凹凸長（突出長）が、前記下向き凸部材７６の凸部７６ｃの約２倍程度とされている。この上下一対の上向き凸部材７５及び下向き凸部材７６はアクセントパネル７０の左右２カ所に取り付けられる。
【００３５】
一方、前記受け具としての上下一対の下向き凹部材８０と上向き凹部材８１とは、前記壁部５の上下の所定位置にコンクリートねじ１４で取り付けられた断面凹部付き矩形状の木製の保持部材９０、９１を上下方向に弾発的に挟み得るように断面概略コ字状とされた所定長（前記アクセントパネル７０の幅の１／２ないし３／４程度）のアルミ押し出し材からなっており、水平方向に伸ばされている。これら下向き凹部材８０及び上向き凹部材８１の下辺部８０ａ、上辺部８１ａには、前記上向き凸部材７５及び下向き凸部材７６の凸部７５ｃ、７６ｃが緩く嵌合せしめられる凹部８０ｃ、８１ｃが形成されており、該下向き凹部材８０及び上向き凹部材８１は、前記凹部８０ｃ、８１ｃを含む上下の辺部で前記保持部材９０、９１を挟圧するとともに、木ねじ９５を上下の辺部にねじ込むことによって、前記壁部５に保持されている。前記下向き凹部材８０の凹部８０ｃは、その凹凸長（深さ）が、前記上向き凸部材７５の凸部７５ｃの突出長とほぼ同程度で前記上向き凹部材８１ｃの約２倍程度とされている。
【００３６】
かかる構成のもとで、アクセントパネル７０を壁部５に取り付けるにあたっては、アクセントパネル７０を若干斜めに持ち上げるようにして、前記上側の係止具としての凹凸長が大きな上向き凸部材７５の凸部７５ｃを前記上側の受け具としての凹凸長が大きな下向き凹部材８０の凹部８０ｃに差し込むようにして深く差し込んで嵌合させた後、前記アクセントパネル７０を鉛直に落とすようにして、前記下側の係止具としての凹凸長が小さな下向き凸部材７６の凸部７６ｃを前記下側の受け具としての凹凸長が小さな上向き凹部材７６の凹部７６ｃとを嵌合させる。この場合、下側の凸部７６ｃが凹部８１ｃの底まで落とし込まれても、上側の凸部７５ｃは凹部８０ｃから抜けず（凹凸長が大きいので）、係止されたままである（図９参照）。
【００３７】
次いで、アクセントパネル７０を左右方向に押し動かして、前記凸部７５ｃ、７６ｃを前記凹部８０ｃ、８１ｃに嵌合させた状態で摺動させて位置調節を行う。これにより、アクセントパネル７０はその自重によって多少の外力では動かない状態で、壁部５に対して平行（鉛直）に取り付けられる。
【００３８】
また、アクセントパネル７０を取り外すには、それを若干持ち上げるようにして、前記下側の凸部７６ｃと凹部８１ｃとの嵌合を解き、その後、アクセントパネル７０を若干斜めに落とすようにして前記上側の凸部７５ｃを凹部８０ｃから抜くだけでよく、さらに、新しいアクセントパネルを取り付ける場合には、その裏面側に、上下一対の上向き凸部材７５及び下向き凸部材７６を取り付けて、前記と同様にすればよい。
【００３９】
このように本実施形態のアクセントパネル取り付け構造４においても、アクセントパネル７０の裏面側に係止具としての上下一対の上向き凸部材７５及び下向き凸部材７６が取り付けられるとともに、壁部５に受け具としての上下一対の下向き凹部材８０及び上向き凹部材８１が取り付けられ、上下一対の上向き凸部材７５及び下向き凸部材７６を上下一対の下向き凹部材８０及び上向き凹部材８１に緩く嵌合させるだけで、アクセントパネル７０が壁部５に着脱自在に取り付けられるので、アクセントパネル７０を容易に取り替えることができ、また、従来はアクセントパネルを一度取り付けた後は、取り付け位置の変更、位置調節はできなかったが、本実施形態では、上下一対の上向き凸部材７５及び下向き凸部材７６が上下一対の下向き凹部材８０及び上向き凹部材８１に対して摺動可能とされているので、アクセントパネル７０の取り付け位置の変更、位置調節も簡単に行うことができる。
【００４０】
以上、本発明の実施形態について詳述したが、本発明は、前記実施形態に限定されるものではなく、特許請求の範囲に記載された発明の精神を逸脱しない範囲で、種々の変更ができるものである。
例えば、前記実施形態では、アクセントパネルとして、木質のものが使用されているが、その他、合成樹脂製、金属製、セラミック製等のものを使用してもよく、その形状も長方形に限らず、格子状のものや円形のもの等も使用でき、さらに、その表面に自由に模様、色彩等を施すことができる。
【００４１】
また、係止具及び受け具の取り付け位置、個数等も適宜変更することができ、それらの少なくとも一方の取り付け位置、個数等を増やすことで、アクセントパネルの取り付け位置を高さ方向及び左右方向に沿って多段階ないし連続的に変更することが可能となる。
【００４２】
【発明の効果】
以上の説明から理解されるように、本発明のアクセントパネル取り付け構造は、アクセントパネルの裏面側に係止具が取り付けられるとともに、壁部に前記係止具が係合せしめられる受け具が取り付けられ、それらの係止具と受け具とを係合させることによって、アクセントパネルが壁部に着脱自在に取り付けられるようにされるので、アクセントパネルを容易に取り替えることができ、また、従来はアクセントパネルを一度取り付けた後は、取り付け位置の変更、位置調節はできなかったが、本発明の取り付け構造では、前記係止具が前記受け具に対して横移動可能に係合せしめられ、さらに好ましい態様では、前記係止具と前記受け具との係合位置が高さ方向に沿って変更可能とされているので、アクセントパネルの取り付け位置の変更、位置調節も簡単に行うことができる。
【図面の簡単な説明】
【図１】本発明に係るアクセントパネル取り付け構造の第１実施形態を示す縦断面図。
【図２】図１に示される取り付け構造が適用されたアクセントパネル及び壁面を示す斜視図。
【図３】本発明に係るアクセントパネル取り付け構造の第２実施形態を示す縦断面図。
【図４】図３に示される取り付け構造が適用されたアクセントパネル及び壁面を示す斜視図。
【図５】図３に示される取り付け構造における各部材の取り付け位置を示す概略正面図。
【図６】本発明に係るアクセントパネル取り付け構造の第３実施形態を示す縦断面図。
【図７】図６に示される取り付け構造が適用されたアクセントパネル及び壁面を示す斜視図。
【図８】図６に示される取り付け構造における各部材の取り付け位置を示す概略正面図。
【図９】本発明に係るアクセントパネル取り付け構造の第１実施形態を示す縦断面図。
【図１０】図９に示される取り付け構造が適用されたアクセントパネル及び壁面を示す斜視図。
【符号の説明】
１、２、３、４…アクセントパネル取り付け構造
５…壁部
５Ａ…壁面
１０、３０、５０、７０…アクセントパネル
１５…ローラー部材（係止具）
２０…レール部材（受け具）
２６…スペーサ
３５…係止アングル部材（係止具）
４０…受けアングル部材（受け具）
４５…木枠
５５…フック部材（係止具）
６０…バー部材（受け具）
６５…木枠
６１、６２…バー保持溝
７５…上向き凸部材７５（上側の係止具）
７６…下向き凸部材７６（下側の係止具）
８０…下向き凹部材８０（上側の受け具）
８１…上向き凹部材８１（下側の受け具）
【図１】
0004021193.tif 000002
【図２】
0004021193.tif 000003
【図３】
0004021193.tif 000004
【図４】
0004021193.tif 000005
【図５】
0004021193.tif 000006
【図６】
0004021193.tif 000007
【図７】
0004021193.tif 000008
【図８】
0004021193.tif 000009
【図９】
0004021193.tif 000010
【図１０】
0004021193.tif 000011